(57)【特許請求の範囲】
【請求項１】
鋼管パイプ１ａ，１ａ’を平面三角枠状に結合し一部に吊り索に対する連結金具１ｄを設けた底部体１と、前記底部体１の各隅角部に設けた接続金具３，４と、下端部が各接続金具３，４に嵌められて三角錐状を呈するように傾斜状に起立され各頂部が集束用接続金具５にはめられた防腐処理丸太２ａ，２ａ，２ｂ，２ｂと、上端部が山側防腐処理丸太２ａ，２ａの中間部に取り付けた接続金具９，９に連結され、下端部が底部体１の谷側に固定した接続金具７，７に連結されたステー用防腐処理丸太６ａ，６ａとを有していることを特徴とする雪崩防止用吊枠。
【請求項２】
底部体１の各隅角部に設けた接続金具３，４が防腐処理丸太を嵌める短鋼管３ａ，４ａを有しており、集束用接続金具５が山側の防腐処理丸太２ａ，２ａを嵌める短鋼管５ａ，５ａと谷側の防腐処理丸太２ｂ，２ｂを嵌める短鋼管５ｂ，５ｂとそれら短鋼管を結ぶ連結プレート５ｃ，５ｄを有している請求項１に記載の雪崩防止用吊枠。
【請求項３】
底部体１と接続金具３，４，７，８，９が防蝕めっきを有し、表面が防腐処理丸太に相応する着色塗装が施されている請求項１または２に記載の雪崩防止用吊枠。
【発明の詳細な説明】
【０００１】
【発明の属する技術分野】
本発明は雪崩防止用吊枠に関する。
【０００２】
【従来の技術】
降雪地帯においては雪崩の危険がつきまとい、この対策として雪崩防止施設が利用されている。かかる雪崩防止施設の一態様として、傾斜面の上方にアンカー止めしたワイヤロープにより吊置きし、雪の移動を防止することにより全層雪崩を防止するようにした通常タコ式スノーガードと称される雪崩防止用吊枠が知られている。
【０００３】
【発明が解決しようとする課題】
しかし、従来の雪崩防止用吊枠は、主部材として等辺山形鋼を使用し、これを溶接等によって三角錐状に組立てていた。このため機能的には問題がないものの、降雪期を過ぎると、人工物然としたものが斜面に多数配置されている状態が対岸の山や、付近を通行するドライバーや歩行者などから視認されるので、圧迫感や威圧感を与えたり、美観や景観を損なうという問題があった。
【０００４】
本発明は前記のような問題点を解消するためになされたもので、その目的とするところは、良好な雪崩防止機能を有しつつ、簡単な構造でかつ組立てが容易で美観や景観を好ましいものとすることができ、かつ間伐材の有効利用も図ることができる雪崩防止用吊枠を提供することにある。
【０００５】
【課題を解決するための手段】
上記目的を達成するため本発明は、鋼管パイプを平面三角枠状に結合し一部に吊り索に対する連結金具を設けた底部体と、前記底部体の各隅角部に設けた接続金具と、下端部が各接続金具に嵌められて三角錐状を呈するように傾斜状に起立され各頂部が集束用接続金具にはめられた防腐処理丸太と、上端部が前記山側防腐処理丸太の中間部に取り付けた筒状接続金具に連結され、下端部が底部体の谷側に固定した接続金具に連結されたステー用防腐処理丸太とを有していることを特徴としている。
【０００６】
本発明は、好適には、底部体の各隅角部に設けた接続金具が防腐処理丸太を嵌める短鋼管を有しており、集束用接続金具が山側の防腐処理丸太を嵌める短鋼管と谷側の防腐処理丸太を嵌める短鋼管とそれら短鋼管を結ぶ連結プレートを有している。
【０００７】
また、好適には、底部体と接続金具が防蝕めっきを有し、表面が防腐処理丸太に相応する着色塗装が施されている。
【０００８】
【発明の実施の形態】
以下本発明の実施例を添付図面を参照して説明する。
図１ないし図４は本発明による雪崩防止用吊枠の第１実施例を示しており、１は底部体（ベースフレーム）であり、図７で単体の状態を示すように、所要の直径を有し表面に亜鉛などの耐食性めっきを施した３本の鋼管パイプ１ａ，１ａ，１ａ’を平面略三角形を呈するように配し、それら３本の鋼管パイプ１ａ、１ａ，１ａ’の先端部間を溶接等により鋼製ベースプレート１ｂ，１ｂ，１ｃと結合し、山側となるべき鋼製ベースプレート１ｃには延長部を形成し、ここに連結金具１ｄを固着している。
【０００９】
２は全体として三角錐をなすように前記底部体１に架設された上部体であり、複数本の防腐処理丸太２ａ，２ａ，２ｂ，２ｂ、６ａ，６ａを主体として構成されている。
それぞれの防腐処理丸太２ａ，２ａ，２ｂ，２ｂ、６ａ，６ａは、伐根や間伐材などを所定の直径となるように圧縮成形ものでもよいが、より好適には、熱硬化性合成樹脂たとえばウレタン系、ポリエーテル系、メラミン系、ビニールエステル系などの１種以上を注入したもので、安定した寸法と強度、防腐、防虫の特性を有せしめるようにしたものが用いられる。その処理方法は任意であるが、たとえば、密閉容器内に原材を装入し、密閉容器内の空気を外部に逃がしつつ減圧して原材中の空気を除去し、次いで加圧しながら樹脂を注入して原材内部に浸透させ、密閉容器から取り出して所要日数養生させる手法がある。
【００１０】
２ａ，２ａは平行な２本からなる山側防腐処理丸太であり、それぞれの下端部は、前記底部体１の鋼管パイプ１ａ，１ａの山側隅角部において軸線が水平に対して約６０°の角度に向いた筒状の接続金具３にはめこまれている。
【００１１】
前記筒状の接続金具３は、図９（ａ）に示すように、軸線が水平に対して約６０°の角度に向いた２つの短鋼管３ａ，３ａの下側部位にそれぞれ三角状のプレート３ｂ，３ｂを溶接等によって接合し、プレート３ｂ，３ｂの下縁を鋼管パイプ１ａ，１ａの上面部位に溶接などによってあらかじめ固着している。短鋼管３ａ，３ａの底部にはフラットバーなどにより抜け止め３ｃが施されている。
【００１２】
２ｂ，２ｂは谷側防腐処理丸太であり、それぞれ下端部が前記底部体１の山側と対向状に位置する鋼管パイプ１ａ’（鋼管パイプ１ａでもよい）の端部に設けた軸線が水平に対して約６０°の角度に向いた筒状の接続金具４にはめこまれている。
【００１３】
前記接続金具４は、図９（ａ）の筒状接続金具３と同じ構成であり、すなわち、軸線が水平に対して約６０°の角度に向いた短鋼管４ａの下側部位に三角状のプレート４ｂを溶接等によって接合し、プレート４ｂの下縁は鋼管パイプ１ａ’（または鋼管パイプ１ａ）の上面部位に溶接などによってあらかじめ固着されている。短鋼管４ａの底部にはフラットバーなどにより抜け止め４ｃが施されている。
【００１４】
前記山側防腐処理丸太２ａ，２ａと谷側防腐処理丸太２ｂ，２ｂは上端部が底部体１の略中心の鉛直上に立ちあげられ、集束用接続金具５によって不動に固定されている。
【００１５】
前記集束用接続金具５は、図８（ａ）（ｂ）に単体の状態で示すように、山側防腐処理丸太２ａ，２ａに対応すべく軸線が水平に対して約６０°の角度に向いた２つの相互に接合された短鋼管５ａ，５ａと、谷側防腐処理丸太２ｂ，２ｂに対応すべく相互に離間され、軸線が水平に対して約６０°の角度に向いた短鋼管５ｂ，５ｂと、短鋼管５ａと短鋼管５ｂの間をつなぐ正面三角状の連結プレート５ｃと、短鋼管５ｂ，５ｂの間をつなぐ正面台形状の連結プレート５ｄとを備えている。つなぎ手段は通常、溶接である。そして、少なくとも短鋼管５ａ，５ａの中間位置には軸線と直交するボルト挿通穴５０が形成されている。
【００１６】
前記山側防腐処理丸太２ａ，２ａと谷側防腐処理丸太２ｂ，２ｂは、集束用接続金具５の短鋼管５ａ，５ａと短鋼管５ｂ，５ｂにそれぞれ内嵌されることにより、三角錐状に組み付けられる。そして、短鋼管５ａ，５ａのボルト挿通穴５０と整合するように山側防腐処理丸太２ａ，２ａは軸方向と直角に穿孔され、その穿孔中にボルト５１を貫通させ、ナット５２を螺合することにより軸方向に移動しないようにしっかりと固定される。
【００１７】
６ａ，６ｂは前記山側防腐処理丸太２ａ，２ａの中間部を支えるステー用防腐処理丸太であり、下端部と上端部にそれぞれ接続金具８が嵌め込み固定され、その接続金具８を山側防腐処理丸太２ａの中間に取り付け固定されている接続金具９と底部体１の鋼管パイプ１ａに設けられている接続金具７にそれぞれ連結している。
接続金具７は図９（ｂ）に単体の状態で示されており、斜め状の側部に通孔７０を有するプレート７ａからなり、その下縁を鋼管パイプ１ａ，１ａに溶接等により固着している。
【００１８】
接続金具８，８は単体が図９（ｃ）に示されており、短鋼管８ａの底部を横切るように溶接等によって固着した接続プレート８ｂを有し、接続プレート８ｂには複数個の通孔８０が設けられている。短鋼管８ａの中間部位には軸線と直交するボルト挿通穴８１が設けられている。
接続金具９，９は単体が図９（ｄ）に示されており、短鋼管９ａの側部と平行状に溶接等によって固着した接続プレート９ｂを有し、短鋼管９ａの中間部位には軸線と直交するボルト挿通穴９０が設けられ、接続プレート９ｂには複数個の通孔９１が設けられている。
【００１９】
接続金具９，９は山側防腐処理丸太２ａ，２ａの中間部位に外嵌され、ボルト挿通穴９０と整合するように山側防腐処理丸太２ａ，２ａの軸線と直角方向に穿孔し、この穿孔にボルト９２，９２を挿通し、ナット９３，９３と螺合することにより定位置に固定される。
前記ステー用防腐処理丸太６ａ，６ａは上端部と下端部にそれぞれ短鋼管８ａを外嵌し、ボルト挿通穴８０と整合するようにステー用防腐処理丸太６ａ，６ａに穿孔し、この穿孔にボルト８２を挿通し、ナット８３と螺合することにより上下端部ともそれぞれ接続金具８，８と一体のアッセンブリとされる。
【００２０】
このステー用防腐処理丸太６ａ，６ａは、下端部の接続金具８の接続プレート８ｂを底部体１の鋼管パイプ１ａに設けられている接続金具７のプレート７ａに重ね、通孔７０にボルト７１を通し、ナット７２と螺合することで連結される。そして、上端部の筒状接続金具８の接続プレート８ｂを、山側防腐処理丸太２ａに固定してある接続金具９の接続プレート９ｂに重ね、通孔８１，９１にボルト９４を通し、ナット９５と螺合する。これにより雪の荷重を受ける山側防腐処理丸太２ａ，２ａが安定して支持される。
【００２１】
前記各筒状接続金具３，４、７，８，９および集束用筒状接続金具５はそれぞれ亜鉛などの防蝕メッキが施されている。そして、外観が防腐処理丸太２ａ，２ａ，２ｂ，２ｂ、６ａ，６ａの色彩と似かようようにたとえば茶系の塗料が施されている。
【００２２】
図１０と図１１は本発明による雪崩防止用吊枠の第２実施例を示している。この実施例は、谷側の谷側防腐処理丸太２ｂ，２ｂをそれぞれ２本づつ平行状にしたものである。その他の構成は第１実施例と同じであるから、同じ部分に同じ符号を付し、説明は省略する。
【００２３】
図示するものは本発明の一例であり、他の構成を採用しうる。ステー用防腐処理丸太６ａ，６ａの下端部の接続金具としては、たとえば、図１０のように、短鋼管７ａの底部を横切るように溶接等によって固着したプレート７ｂを有しているものであってもよく、プレート７ｂの下縁部がそれぞれ溶接によって鋼管パイプ１ａにあらかじめ固着される。前記短鋼管７ａの中間部位には軸線と直交するボルト挿通穴７０が設けられている。
この場合には、ステー用防腐処理丸太６ａの下端部には接続金具が取り付けられず、直接、丸太下端部が短鋼管７ａに内嵌され、ボルト挿通穴７０と整合する穿孔が施され、ボルトを貫通させナットと螺合することにより固定される。
【００２４】
本発明は防腐処理丸太が好適であるが、場合によっては、複数本のうち数本を鋼管パイプ、ＦＲＰパイプ、鋼管パイプとＦＲＰの複合材、鋼管パイプと防腐処理丸太の複合材などの円筒形の部材としてもよい。
【００２５】
【実施例の作用】
本発明による雪崩防止用吊枠の作用を説明すると、山側防腐処理丸太２ａ，２ａにはあらかじめ中間部に接続金具９，９を外嵌固定しておく。底部体１には接続金具３、４、接続金具７，７をあらかじめ固着されているので、山側防腐処理丸太２ａ，２ａを接続金具３の短鋼管３ａに嵌め、谷側防腐処理丸太２ｂ，２ｂを接続金具４の短鋼管４ａに嵌めれば自動的に三角錐を構成するように傾斜状に樹立される。そこで、集合状の山側防腐処理丸太２ａ，２ａと谷側防腐処理丸太２ｂ，２ｂの上端部に集束用接続金具５を嵌め合わせれば、しっかりとした三角錐が形成される。
次に、あらかじめそれぞれ接続金具８，８を上下端部に取り付けたステー用防腐処理丸太６ａ，６ａを斜めに配し、下端部の接続金具８を底部体１の接続金具７に連結し、上端部の接続金具８を山側防腐処理丸太２ａの中間部の接続金具９に連結すればよい。
以上の作業は単純で工程も簡単であり、容易に多数基を作成することができる。
【００２６】
設置に際しては、法面に底部体１をもって配し、法面の上方にアンカーＡを固定し、このアンカーＡから下した吊索Ｂの先端部の接続金具たとえばシャックルＣを、底部体１の連結金具１ｄに連結させればよい。
図１２は地盤が土砂質の場所に設置した状態を示しており、各雪崩防止吊枠Ｄは一定レベルに設けたアンカーＡたとえばパイプアンカーからの吊索Ｂに支持されている。
図１３は地盤が岩盤の場所に設置した状態を示しており、各雪崩防止吊枠Ｄは各段ごとに設けたアンカーＡたとえばパイプアンカーからの吊索Ｂに支持されている。
【００２７】
設置状態においては、雪の荷重が主としてかかる山側が２本の防腐処理丸太２ａ，２ａを有し、それを剛直な鋼管製の底部体１から伸びるステー用防腐処理丸太６ａ，６ａによって背部から支承されているので、確実に雪を支持することができ、全体として三角錐状であるから、雪の滑り移動を防止することができる。
【００２８】
降雪期が過ぎた後において、雪崩防止吊枠Ｄは主部材が円柱状をなした防腐処理丸太２ａ，２ａ，２ｂ，２ｂ，６ａ，６ａであるから、雪崩防止吊枠Ｄが多数配置されていたときに、その木質系特有のやわらかさと円柱状形態により人工物然とした感じを与えず自然なものとなり、対岸の山や、付近を通行するドライバーや歩行者などから視認されたときに、圧迫感や威圧感を与えたり、美観や景観を損なうことがなくなる。
しかも、主部材が防腐処理丸太であるから、伐根や間伐材を有効利用することができ、省資源を図ることができ、経年変化により老朽化したときに、接続金具から取り外すことにより丸太となり、そのまま放置しても腐敗して土壌に戻るため環境に優しく、廃棄処理も容易である。
【００２９】
しかも、常時湿潤状態にさらされている地盤に接触している底部体１が防腐処理丸太でなく、鋼管製のパイプ１ａ，１ａ，１ａ’から構成されているので、腐食による短寿命化を抑制することができ、該底部体１は雑草や土砂に覆われるため、目立たず景観を損なうこともない。
山側、谷側およびステー用の支持部材としての防腐処理丸太２ａ，２ａ，２ｂ，２ｂ，６ａ，６ａはそれぞれが接続金具３，４，５，７，８，９に嵌められることで組立てられているので、それら防腐処理丸太が部分的に腐食が進んだときには、そのもののみを接続金具から取り外して新たな防腐処理丸太と交換することにより再生させることができる。
【００３０】
【発明の効果】
以上説明した本発明の請求項１によるときには、鋼管パイプ１ａ，１ａ，１ａ’を平面三角枠状に結合し一部に吊り索に対する連結金具１ｄを設けた底部体１と、前記底部体１の各隅角部に設けた接続金具３，４と、下端部が各接続金具３，４に嵌められて三角錐状を呈するように傾斜状に起立され各頂部が集束用接続金具５にはめられた防腐処理丸太２ａ，２ａ，２ｂ，２ｂと、上端部が山側防腐処理丸太２ａ，２ａの中間部に取り付けた接続金具９，９に連結され、下端部が底部体１の谷側に固定した接続金具７，７に連結されたステー用防腐処理丸太６ａ，６ａとを有しているので、良好な雪崩防止機能を有しつつ美観や景観を良好なものとすることができ、しかも間伐材の有効利用も図ることができるとともに、常時湿潤状態にさらされている地盤に接触している底部体１が防腐処理丸太でなく、鋼管製のパイプを主体として構成されているので、腐食による短寿命化を抑制することができ、さらに構造が簡単で組立てが容易であるなどのというすぐれた効果が得られる。
【００３１】
請求項２によれば、底部体１の各隅角部に設けた接続金具３，４が防腐処理丸太を嵌める短鋼管３ａ，４ａを有しており、集束用接続金具５が山側の防腐処理丸太２ａ，２ａを嵌める短鋼管５ａ，５ａと谷側の防腐処理丸太２ｂ，２ｂを嵌める短鋼管５ｂ，５ｂとそれら短鋼管を結ぶ連結プレート５ｃ，５ｄを有しているので、防腐処理丸太を使用した組立てが容易であり、熟練を要さず簡単、迅速に雪崩防止用吊枠を製作することができ、また部分的に腐敗したり折損した場合の取替え、修復を簡易に行なうことができるというすぐれた効果が得られる。
【００３２】
請求項３によれば、底部体と接続金具が防蝕めっきを有し、表面が防腐処理丸太に相応する着色塗装が施されているので、耐腐食性がよくなり防腐処理丸太を安定的にしっかりと支持固定することができるとともに、防腐処理丸太との違和感を少なくし、景観をよくすることができるというすぐれた効果が得られる。
【図面の簡単な説明】
【図１】本発明による雪崩防止用吊枠の第１実施例を示す側面図である。
【図２】第１実施例の平面図である。
【図３】（ａ）は第１実施例の谷側隅角部の拡大斜視図、（ｂ）はその断面図である。
【図４】第１実施例の谷側隅角部を内側から見た斜視図である。
【図５】第１実施例の谷側隅角部の取り合いとステー部分の取り合いを示す斜視図である。
【図６】第１実施例のステー部分の取り合いと山側隅角部の取り合いを示す斜視図である。
【図７】本発明における底部体の平面図である。
【図８】（ａ）は本発明における集束用接続金具の平面図、（ｂ）は同じくその側面図である。
【図９】（ａ）は本発明における接続金具の部分切欠側面図、（ｂ）は本発明における別の接続金具の側面図、（ｃ）は本発明における別の接続金具の側面図、（ｄ）は本発明における別の接続金具の側面図である。
【図１０】本発明におけるステー用丸太の接続構造の他の例を示す側面図である。
【図１１】本発明の第２実施例を示す平面図である。
【図１２】（ａ）は本発明の設置例を示す正面図、（ｂ）はその側面図である。
【図１３】（ａ）は本発明の別の設置例を示す正面図、（ｂ）はその側面図である。
【符号の説明】
１  底部体
１ａ，１ａ，１ａ’  鋼管パイプ
１ｄ  連結金具
２ａ，２ａ，２ｂ，２ｂ  防腐処理丸太
３，４  接続金具
３ａ，４ａ  短鋼管
５  集束用接続金具
５ａ，５ｂ  短鋼管
５ｃ，５ｄ  連結プレート
７，８  ９  接続金具
【図１】
0003866544.tif 000002
【図２】
0003866544.tif 000003
【図３】
0003866544.tif 000004
【図４】
0003866544.tif 000005
【図５】
0003866544.tif 000006
【図６】
0003866544.tif 000007
【図７】
0003866544.tif 000008
【図８】
0003866544.tif 000009
【図９】
0003866544.tif 000010
【図１０】
0003866544.tif 000011
【図１１】
0003866544.tif 000012
【図１２】
0003866544.tif 000013
【図１３】
0003866544.tif 000014